(57)【要約】      （修正有）【課題】ユーザーの選択の手間を低減し、包装体全体の大型化を抑制し、さらに、包装体全体の剛性を維持した包装体及び保護フィルム包装体を提供する。【解決手段】保護フィルム４を保持する不透明な包装体本体と、包装体本体を貫通するように設けられ、この包装体本体に保護フィルムが保持された状態でその保護フィルムの端縁部を構成する全ての辺のそれぞれの一部が視認可能な窓部８とを設け、さらに、窓部と保護フィルムの端縁部との間に、包装体と電子機器とを重ね合わせた際にこの電子機器の少なくとも一部が視認可能な間隙部９を設けた。【選択図】図１
0003191171.tif 000002
【実用新案登録請求の範囲】
【請求項１】
電子機器の表面を保護するための保護フィルムを保持するための包装体であって、
前記保護フィルムを保持する不透明な包装体本体と、
前記包装体本体を貫通するように設けられ、この包装体本体に前記保護フィルムが保持された状態でその保護フィルムの端縁部を構成する全ての辺のそれぞれの一部が視認可能な窓部と
を備え、
前記窓部と前記保護フィルムの端縁部との間に、前記包装体と前記電子機器とを重ね合わせた際にこの電子機器の少なくとも一部が視認可能な間隙部が設けられている
ことを特徴とする包装体。
【請求項２】
前記保護フィルムは、前記電子機器に露出して設けられた略矩形状の表示面を保護するためのものであり、この表示面の大きさに略等しい外形略矩形状に形成されていることを特徴とする請求項１記載の包装体。
【請求項３】
前記窓部は、前記包装体本体に複数設けられた窓体を備えていることを特徴とする請求項１または２のいずれかに記載の包装体。
【請求項４】
前記窓部は、前記保護フィルムの隅部のうち少なくとも二箇所の隅部に対応する位置に設けられ、この窓部により前記保護フィルムの対角線上に位置する隅部が少なくとも二箇所視認可能であることを特徴とする請求項２〜３のいずれかに記載の包装体。
【請求項５】
前記窓部は、前記保護フィルムの少なくとも三箇所の隅部に対応する位置に設けられ、この窓部により保護フィルムの隅部が少なくとも三箇所視認可能であることを特徴とする請求項４記載の包装体。
【請求項６】
前記包装体本体は、板状の部材が折り曲げられてなる台紙を備え、前記保護フィルムは折り曲げられた前記台紙の間に保持されることを特徴とする請求項１〜５のいずれかに記載の包装体。
【請求項７】
前記保護フィルムを保持した状態の前記包装体本体を収納する透明の袋体を備えることを特徴とする請求項１〜６のいずれかに記載の包装体。
【請求項８】
電子機器の表面を保護するための保護フィルムが保持された保護フィルム包装体であって、
前記保護フィルムと、
前記保護フィルムを保持する不透明な包装体本体と、
前記包装体本体を貫通するように設けられ、この包装体本体に前記保護フィルムが保持された状態でその保護フィルムの端縁部を構成する全ての辺のそれぞれの一部が視認可能な窓部と
を備え、
前記窓部と前記保護フィルムの端縁部との間に、前記包装体と前記電子機器とを重ね合わせた際にこの電子機器の少なくとも一部が視認可能な間隙部が設けられている
ことを特徴とする保護フィルム包装体。
【請求項９】
前記保護フィルムには第１のセパレータフィルムが貼付され、この第１のセパレータフィルムのうち少なくとも前記窓部に対応する端縁部は半透明に形成されていることを特徴とする請求項８に記載の保護フィルム包装体。
【請求項１０】
前記保護フィルムには第１のセパレータフィルムが貼付され、この第１のセパレータフィルムのうち少なくとも前記窓部に対応する端縁部に、前記保護フィルムに前記第１のセパレータフィルムが貼付された状態でこの辺に重畳する枠線が形成されていることを特徴とする請求項８に記載の保護フィルム包装体。
【請求項１１】
前記保護フィルムには第１のセパレータフィルムが貼付されている面と反対側の面に第２のセパレータフィルムが貼付され、この第２のセパレータフィルムは透明の材質からなることを特徴とする請求項９または１０のいずれか記載の保護フィルム包装体。
【請求項１２】
前記包装体本体は、板状の部材が折り曲げられてなる台紙を備え、
前記第１または第２のセパレータフィルムの一方は前記保護フィルムの外形より大きい外形を有し、その端部が前記台紙の折曲部に当接することで前記保護フィルムが前記包装体に保持される
ことを特徴とする請求項１１記載の保護フィルム包装体。
【考案の詳細な説明】
【技術分野】
【０００１】
本考案は、電子機器の表面を保護するための保護フィルムを保持するための包装体及びこの保護フィルムが保持された保護フィルム包装体に関する。
【背景技術】
【０００２】
スマートフォン、タブレット端末に代表される電子機器において、画像が表示される表示面はガラス等の透明でかつ一定の強度及び硬度を有する材質で保護されている。しかしながら、この表示面に生じる引っかき傷から表示面を保護し、さらには表示面での反射を一定の割合で抑制する等の目的で、この表示面に貼付する保護フィルムと呼ばれるフィルムが提供されている。
【０００３】
電子機器及びその表示面は機種、型式毎に所定形状を有し、また、電子機器によっては表示面と同一面に操作ボタン、マイクやスピーカ用の切欠が設けられ、これら操作ボタン等の配置位置も機種、型式毎に異なることがあるので、上述した保護フィルムは電子機器の機種、型式に応じて所定形状に形成されていることが多い。
【０００４】
しかしながら、最近は多種多様の電子機器が販売されるようになり、保護フィルムの製造メーカーも、個々の電子機器の機種、型式に応じて独自形状の保護フィルムを製造する手間がかさんでいた。このため、電子機器の表示面の大きさに合わせた汎用性の高い保護フィルムが近年提供されている（非特許文献１参照）。この場合、テレビジョン、ＰＣ用ディスプレイと同様に、電子機器の表示面の大きさは対角線の長さ（多くはインチ）で定義されているので、汎用タイプの保護フィルムも電子機器の表示面の大きさ毎に種類が設けられている。
【０００５】
なお、本明細書において、「フィルム」と「シート」とは同義に用いる。
【先行技術文献】
【特許文献】
【０００６】
【特許文献１】特開平１０−３１６１６７号公報
【非特許文献】
【０００７】
【非特許文献１】「スマートフォン用 汎用液晶保護フィルム(指紋防止・光沢) - P-FLSAGシリーズ」［平成26年3月6日検索］、インターネット<URL:http://www2.elecom.co.jp/avd/cellphone/protection-seal/p-flsag/>
【非特許文献２】「[News]タッチパネルが使えるデジカメ用の液晶保護フィルム！3.0型と3.5型のワイド液晶画面にした2モデル、それぞれマットタイプと光沢タイプを発売」［平成26年3月6日検索］、インターネット<URL:http://www.elecom.co.jp/news/200812/dgp-011/>
【考案の概要】
【考案が解決しようとする課題】
【０００８】
上述した従来の汎用タイプの保護フィルムをユーザーが店頭で購入する場合、ユーザーは自身が所有する電子機器の表示面の大きさを予め知った上で、この表示面の大きさに対応した保護フィルムを選択して購入する。しかしながら、電子機器の表示面の大きさを正確に知った上で店頭に向かう作業はユーザーに手間を強いる作業である。従って、ユーザーが所有する電子機器の表示面の大きさを予め調べる手間を省略できる手法が望まれていた。
【０００９】
なお、デジタルカメラの液晶表示部の表示面を保護する保護フィルムのパッケージにおいて、液晶表示部の大きさに対応する確認窓を設けた技術があるが（非特許文献２参照）、この技術においては、保護フィルムが収納されるパッケージの一部を延長して確認窓を設けているので、保護フィルムの大きさに比較してパッケージの大型化を招くという問題がある。
【００１０】
また、携帯電話機の受話口に取り付ける商品のパッケージにおいて、ブリスタ−包装の台紙に、商品の外形寸法より一回り大きな開口を設けた技術が提案されているが（特許文献１参照）、この技術を電子機器の表示面に貼付される保護フィルムの包装体に適用した場合、保護フィルムよりも大きい開口が必要となり、同様にパッケージの大型化を招くとともに、大きな開口を設けることにより包装体全体の剛性を維持することが難しい可能性があった。
【００１１】
本考案は上述した課題に鑑みてなされたものであり、汎用性の高い保護フィルムを保持するための包装体において、ユーザーの選択の手間を低減し、包装体全体の大型化を抑制し、さらに、包装体全体の剛性を維持することの可能な包装体及び保護フィルム包装体の提供をその目的の一つとしている。
【課題を解決するための手段】
【００１２】
本考案は、電子機器の表面を保護するための保護フィルムを保持するための包装体に適用される。そして、保護フィルムを保持する不透明な包装体本体と、包装体本体を貫通するように設けられ、この包装体本体に保護フィルムが保持された状態でその保護フィルムの端縁部を構成する全ての辺のそれぞれの一部が視認可能な窓部とを設け、さらに、窓部と保護フィルムの端縁部との間に、包装体と電子機器とを重ね合わせた際にこの電子機器の少なくとも一部が視認可能な間隙部を設けることにより、上述の課題の少なくとも一つを解決している。
【００１３】
包装体に保護フィルムが保持された状態で、ユーザーがこの包装体に電子機器を近接させ、さらに間隙部を通して電子機器を見ると、この電子機器と保護フィルムの端縁部とを同時に視認することができ、電子機器と保護フィルムとの相対的大小関係を確認することができる。
【００１４】
ここで、保護フィルムは、電子機器に露出して設けられた略矩形状の表示面を保護するためのものであり、この表示面の大きさに略等しい外形略矩形状に形成されていることが好ましい。
【００１５】
また、窓部は、包装体本体に複数設けられた窓体を備えていることが好ましい。さらに、窓部は、保護フィルムの隅部のうち少なくとも二箇所の隅部に対応する位置に設けられ、この窓部により保護フィルムの対角線上に位置する隅部が少なくとも二箇所視認可能であることが好ましい。さらに、窓部は、保護フィルムの少なくとも三箇所の隅部に対応する位置に設けられ、この窓部により保護フィルムの隅部が少なくとも三箇所視認可能であることが好ましい。
【００１６】
また、包装体本体は、板状の部材が折り曲げられてなる台紙を備え、保護フィルムは折り曲げられた台紙の間に保持されることが好ましい。さらに、保護フィルムを保持した状態の包装体本体を収納する透明の袋体を備えることが好ましい。
【００１７】
また、本考案は、電子機器の表面を保護するための保護フィルムが保持された保護フィルム包装体に適用される。そして、保護フィルムと、保護フィルムを保持する不透明な包装体本体と、包装体本体を貫通するように設けられ、この包装体本体に保護フィルムが保持された状態でその保護フィルムの端縁部を構成する全ての辺のそれぞれの一部が視認可能な窓部とを設け、さらに、窓部と保護フィルムの端縁部との間に、包装体と電子機器とを重ね合わせた際にこの電子機器の少なくとも一部が視認可能な間隙部を設けることで、上述の課題の少なくとも一つを解決している。
【００１８】
ここで、保護フィルムには第１のセパレータフィルムが貼付され、この第１のセパレータフィルムのうち少なくとも窓部に対応する端縁部が半透明に形成されていることが好ましい。あるいは、保護フィルムには第１のセパレータフィルムが貼付され、この第１のセパレータフィルムのうち少なくとも窓部に対応する端縁部に、保護フィルムに第１のセパレータフィルムが貼付された状態でこの辺に重畳する枠線が形成されていることが好ましい。
【００１９】
また、保護フィルムには第１のセパレータフィルムが貼付されている面と反対側の面に第２のセパレータフィルムが貼付され、この第２のセパレータフィルムが透明の材質からなることが好ましい。
【００２０】
さらに、包装体本体は、板状の部材が折り曲げられてなる台紙を備え、第１または第２のセパレータフィルムの一方は保護フィルムの外形より大きい外形を有し、その端部が台紙の折曲部に当接することで保護フィルムが包装体に保持されることが好ましい。
【考案の効果】
【００２１】
本考案によれば、間隙部を通してユーザーが保護フィルムと電子機器との相対的大小関係を容易に確認することができる。これにより、ユーザーの選択の手間を低減し、包装体全体の大型化を抑制し、さらに、包装体全体の剛性を維持することの可能な包装体及び保護フィルム包装体を実現することができる。
【図面の簡単な説明】
【００２２】
【図１】本考案の一実施形態である保護フィルム包装体を示す斜視図である。
【図２】一実施形態の保護フィルム包装体の台紙を広げた状態を示す斜視図である。
【図３】一実施形態の保護フィルム包装体の台紙に保護フィルム複合体が保持された状態を示す斜視図である。
【図４】一実施形態の保護フィルム包装体に保持される保護フィルム複合体を示す斜視図である。
【図５】図１のＩ−Ｉ′線矢視断面図である。
【図６】保護フィルムが保持された一実施形態の保護フィルム包装体を電子機器に重ね合わせた状態を示す平面図である。
【図７】本考案の保護フィルム包装体の窓部の変形例を示す平面図である。
【図８】本考案の一実施形態である保護フィルム包装体に適用される保護フィルム複合体の変形例を示す平面図である。
【考案を実施するための形態】
【００２３】
以下、図面を参照して、本考案の保護フィル包装体の実施形態について説明する。なお、図面内に記載されている保護フィルム等の厚みは、説明の便宜上誇張して記載されており、実際の寸法を反映した縮尺ではない。また、図面内において単層で表示されているフィルム等は、実際には複数のフィルム等が重畳されて構成されることがある。すなわち、図面内の表示は機能的なものである。
【００２４】
（一実施形態）
図１は、本考案の一実施形態である保護フィルム包装体を示す斜視図である。この図において、保護フィルム包装体Ｐは、電子機器１０に露出して設けられた略矩形状の表示面１１（図６参照）に貼付されてこの表示面１１を保護する保護フィルムを含む保護フィルム複合体Ａ（図３参照）と、この保護フィルム複合体Ａを収納する、包装体本体を構成する台紙１と、保護フィルム複合体Ａを収納した状態の台紙１全体を収納する透明の袋体２とを備える。
【００２５】
台紙１は、図２に詳細を示すように、厚紙やプラスチック等の板体３を略中央の折曲部１ｂで折り曲げ、図１及び図３に示すように、折り曲げた状態で保護フィルム複合体Ａをその内部に収納可能な外形略矩形状に形成されている。台紙１には折り曲げた状態でその端縁部（図１において上部）にフック用貫通孔１ａが設けられているとともに、図１に示すように袋体２にもこのフック用貫通孔２ａが設けられ、この貫通孔１ａ、２ａを通じて図略のフックが通されることで、保護フィルム包装体Ｐがフックに吊下可能とされる。
【００２６】
保護フィルム複合体Ａは、図４に詳細を示すように、電子機器の表示面と略同一の外形矩形状に形成された保護フィルム４と、この保護フィルム４の図４における上下両面にそれぞれ貼付された第１及び第２のセパレータフィルム５、６とを備える。保護フィルム４は透明な材質から形成されており、この保護フィルム４には、図４においてその下面に、保護フィルム４を電子機器の表示面に貼付するための図略の接着層が設けられている。
【００２７】
第１のセパレータフィルム５は、保護フィルム４と略同一形状の矩形に形成され、図４において保護フィルム４の上面を全て覆うように貼付されている。これにより、保護フィルム４の端縁４ａと第１のセパレータフィルム５の端縁５ａとはほぼ同一の位置になっている。第１のセパレータフィルム５は半透明の材質からなり、あるいは、透明の材質の表面に半透明のコーティングがされることで全体として半透明に構成されている。あるいは、第１のセパレータフィルム５の保護フィルム４の貼付面と反対側の面に別体の半透明のフィルムを貼付することで、これら第１のセパレータフィルム５及び別体のフィルム全体として半透明に構成されている。従って、ユーザーは、半透明の第１のセパレータフィルム５の外形、寸法を認識することで、この第１のセパレータフィルム５が貼付されている保護フィルム４の外形、寸法を同時に認識することができる。
【００２８】
第２のセパレータフィルム６は、保護フィルム４及び第１のセパレータフィルム５の幅及び長さよりも幅及び長さがいずれも大きい矩形状に形成されており、図４において保護フィルム４の第１のセパレータフィルム５が貼付されている面と反対側の下面に貼付されることで、保護フィルム４の接着層を保護している。従って、図４に示すように、第２のセパレータフィルム６が保護フィルム４に貼付された状態で、第２のセパレータフィルム６の端縁６ａは保護フィルム４の端縁４ａから外方に延出して設けられる。第２のセパレータフィルム６は透明な材質から形成されており、これにより、第２のセパレータフィルム６が保護フィルム４に貼付された状態でも、この第２のセパレータフィルム６を透かして第１のセパレータフィルム５の端縁５ａ、ひいては保護フィルム４の端縁４ａをユーザーが視認することができる。
【００２９】
以上の構成の保護フィルム複合体Ａは、図３に詳細を示すように、台紙１の折曲部１ｂの内部に第２のセパレータフィルム６の端縁６ａが当接した状態で位置決めされ、また、第２のセパレータフィルム６が粘着テープ７等により台紙１に固定されることで、台紙１に収納された状態で固定されている。
【００３０】
そして、台紙１には、図１〜図３に詳細を示すように、この台紙１を貫通する窓体８ａ、８ｂが複数（本実施形態では２つ）設けられており、これら窓体８ａ、８ｂにより窓部８が構成されている。この窓部８は、図１及び図３、さらには断面図である図５に詳細を示すように、保護フィルム複合体Ａのうち保護フィルム４及び第１のセパレータフィルム５を構成する全ての辺（本実施形態では保護フィルム４及び第１のセパレータフィルム５は矩形状に形成されているので４辺）４ｂ、５ｂのそれぞれの一部が視認可能な位置に設けられている。本実施形態では、窓部８は、図１に詳細を示すように、保護フィルム４及び第１のセパレータフィルム５の全ての隅部（本実施形態では保護フィルム４及び第１のセパレータフィルム５は矩形状に形成されているので４つの隅部）４ｃ、５ｃの全てが視認可能な位置に設けられている。
【００３１】
この窓部８は、図２及び図３に示すように、台紙１の折曲部１ｂを中心にして線対称な位置に切欠部１ｃが一対設けられ、台紙１が折曲部１ｂにより図１及び図５に示すように折り曲げられることで構成される。
【００３２】
また、この窓部８と保護フィルム４及び第１のセパレータフィルム５の辺４ｂ、５ｂとの間には、図１に詳細を示すように間隙部９が設けられており、この間隙部９を通して保護フィルム包装体Ｐに重ね合わされたもの、例えば電子機器の少なくとも一部をユーザーが視認することができる。
【００３３】
以上の構成の保護フィルム包装体Ｐが、図略のフックが台紙１及び袋体２の貫通孔１ａ、２ａに通されることでこのフックに吊り下げられた状態で販売店等の店頭に陳列される。そして、図６に示すように、ユーザーが所有する電子機器１０の矩形状の表示面１１を保護フィルム包装体Ｐの背後に配置してこの保護フィルム包装体Ｐに重ね合わせると、窓部８を通してユーザーは保護フィルム４及び半透明の第１のセパレータフィルム５の辺４ｂ、５ｂを視認し、さらに、間隙部９を通して自身が所有する電子機器１０を視認することができる。
【００３４】
従って、ユーザーが所有する電子機器１０の表示面１１の大きさに合致した保護フィルム４が収納された保護フィルム包装体Ｐの背後にこの電子機器１０の表示面１１を配置した場合、この表示面１１と保護フィルム４及び第１のセパレータフィルム５とがほぼ重畳した状態で配置される。一方、表示面１１の大きさより小さい保護フィルム４が収納された保護フィルム包装体Ｐの背後に電子機器１０の表示面１１を配置した場合、ユーザーは間隙部９を通して表示面１１を視認し、さらに、表示面１１の大きさより大きい保護フィルム４が収納された保護フィルム包装体Ｐの背後に電子機器１０の表示面１１を配置した場合、ユーザーは間隙部９を通して表示面１１の外延部、すなわち電子機器１０のベゼル（額縁）部を視認するとともに、保護フィルム４及び第１のセパレータフィルム５により表示面１１が覆われていることを視認し、いずれにしても、自身が所有する電子機器１０の表示面１１の大きさに合致しない保護フィルム４が収納された保護フィルム包装体Ｐであることを容易に認識することができる。
【００３５】
（一実施形態の効果）
従って、本実施形態の保護フィルム包装体Ｐによれば、ユーザーが所有する電子機器１０の表示面１１をこの保護フィルム包装体Ｐの背後に配置して重ね合わせれば、この保護フィルム包装体Ｐに収納された保護フィルム４が、電子機器１０の表示面１１の大きさに合致したものであるか否かを容易に確認することができる。これにより、ユーザーが予め表示面１１の大きさを調べることなく、表示面１１の大きさに合致した保護フィルム４を選択することが可能になる。
【００３６】
また、本実施形態の保護フィルム包装体Ｐでは、窓部８により保護フィルム４及び第１のセパレータフィルム５を構成する全ての辺４ｂ、５ｂの一部が視認可能に構成されているので、保護フィルム複合体Ａを収納する位置以外に保護フィルム４の大きさに相当する確認窓を設ける構成に比較して、保護フィルム包装体Ｐの大型化を抑制することができる。
【００３７】
さらに、本実施形態の保護フィルム包装体Ｐでは、台紙１に設けられた窓体８ａ、８ｂは、保護フィルム４及び第１のセパレータフィルム５を構成する全ての辺４ｂ、５ｂの一部が視認可能な位置に設けられているので、保護フィルム４の全ての辺４ｂの全部が視認可能な窓体、すなわち、保護フィルム４よりも大きい窓体を台紙１に設ける構成に比較して、台紙１の剛性、ひいては保護フィルム包装体Ｐの剛性を維持することが可能になる。加えて、保護フィルム４よりも大きい窓体を台紙１に設ける構成に比較して、台紙１の窓部８が設けられていない面積を確保することができ、これにより、窓部８以外の台紙１の部分に記載可能な情報量を増加させることができる。
【００３８】
（変形例）
本考案の包装体及び保護フィルム包装体は、その細部が上述の一実施形態に限定されず、種々の変形例が可能である。
【００３９】
一例として、台紙１に設けられた窓部８を構成する窓体８ａ…の個数及び形状は上述の一実施形態の窓体８ａ、８ｂに限定されず、保護フィルム４の全ての辺４ｂの一部が視認可能な窓部８を構成する窓体８ａ…であれば種々の構成が採用可能である。
【００４０】
このような窓体８ａ…の変形例を図７に示す。図７（ａ）に示す変形例では、窓体８ａ、８ｂの形状が同一とされることで保護フィルム４の全ての隅部４ｃが視認可能とされ、図７（ｂ）に示す変形例では、１つの窓体８ａにより保護フィルム４の全ての隅部４ｃが視認可能とされ、図７（ｃ）に示す変形例では、１つの窓体８ａにより保護フィルム４の３つの隅部４ｃが視認可能とされ、さらに、図７（ｄ）に示す変形例では、図７において縦長の窓体８ａ、８ｂにより窓部８が構成されることで保護フィルム４の全ての隅部４ｃが視認可能とされている。図７（ｅ）に示す変形例では、２つの窓体８ａ、８ｂにより保護フィルム４の対角線上に位置する２つの隅部４ｃが視認可能とされている。図７（ｆ）に示す変形例では、４つの窓体８ａ〜８ｄにより、保護フィルム４の隅部は視認可能ではないものの、全ての辺４ｂの一部が視認可能とされている。そして、図７（ｇ）に示す変形例では、２つの窓体８ａ、８ｂにより、図７において上下に並ぶ隅部４ｃ及び全ての辺４ｂの一部が視認可能とされており、さらに、台紙１から保護フィルム４の一部が露出している。これら全ての変形例によっても、上述の一実施形態と同様の効果を奏することができる。
【００４１】
また、上述の一実施形態では、第１のセパレータフィルム５の全面が半透明に構成されていたが、窓部８においてユーザーが保護フィルム４の辺４ｂが容易に視認可能であれば、第１のセパレータフィルム５の一部のみ半透明に構成されていてもよい。
【００４２】
このような第１のセパレータフィルム５の変形例を図８に示す。図８（ａ）に示す変形例では、第１のセパレータフィルム５の隅部５ｃの矩形状の領域のみ半透明に構成されている。ここで、図８においては、ハッチングで表示した部分で半透明部分を示す。図８（ｂ）に示す変形例では、第１のセパレータフィルム５の隅部５ｃの１／４円状の領域のみ半透明に構成されている。図８（ｃ）に示す変形例では、第１のセパレータフィルム５の端縁５ａの枠状の領域のみ半透明に構成されている。さらに、図８（ｄ）に示す変形例では、図８（ｃ）の枠状の領域のうち隅部５ｃの位置のみ半透明に構成されている。
【００４３】
図８に示すような、第１のセパレータフィルム５の一部を半透明に構成する手法は、上述した手法を含めて周知のものが好適に適用可能である。一例として、第１のセパレータフィルム５の一部のみ半透明のコーティングを施す、第１のセパレータフィルム５の保護フィルム４の貼付面と反対側の面に別体の半透明のフィルムを貼付する等の手法が挙げられる。
【００４４】
さらに、上述の一実施形態では、外形略矩形状の表示面１１に対応して、同様に保護フィルム４が略矩形状に形成されていたが、表示面１１の形状に応じて矩形状以外の形状に形成されてもよい。一例として、矩形状の保護フィルム４の隅部４ｃのみ円形に形成したものや、表示面１１が湾曲して形成されるために平面に展開した状態で台形等に形成されたものや、さらには楕円、円形に形成されてもよい。
【００４５】
加えて、上述の一実施形態では第１のセパレータフィルム５が半透明に構成され、これにより、ユーザーが保護フィルム４の辺４ｂを容易に視認可能に構成されていたが、保護フィルム４の材質等によりその辺４ｂを視認可能であれば、第１のセパレータフィルム５を半透明に構成する必要はない。
【００４６】
第１のセパレータフィルム５が透明でありながら保護フィルム４の辺４ｂをユーザーが視認可能にする一例として、第１のセパレータフィルム５の辺５ｂ近傍に不透明の枠線を印刷等により形成する手法が挙げられる。この枠線は第１のセパレータフィルム５の辺５ｂに沿って形成される。当然、第２のセパレータフィルム６の、保護フィルム４の辺４ｂに対応する位置に枠線を印刷等により形成してもよい。この場合、第１のセパレータフィルム５または第２のセパレータフィルム６に形成された枠線は保護フィルム４の辺４ｂに厳密に重畳する位置に形成される必要はなく、ユーザーが電子機器１０の表示面１１の大きさを大凡把握しうる程度の精度で印刷されればよい。当然、第１または第２のセパレータフィルム５、６の辺５ｂの全てに枠線が形成される必要はなく、窓部８に対応する位置に少なくとも形成されていればよい。
【００４７】
また、上述の一実施形態では、板体３を折り曲げることで台紙１を構成し、この台紙１内部に保護フィルム複合体Ａを収納していたが、例えば１枚の板体３を折り曲げることなく台紙１を構成し、この台紙１の一面に保護フィルム複合体Ａを固定することによっても本考案の保護フィルム包装体Ｐを構成することができる。
【００４８】
さらに、上述の一実施形態では、電子機器１０の表示面１１を保護するための保護フィルム４が収納された保護フィルム包装体Ｐについて説明したが、電子機器１０に貼付されてその表面を保護するための保護フィルムであれば好適に適用可能である。一例として、電子機器の表示面の裏面を保護するための保護フィルム等にも本考案は適用可能である。
【符号の説明】
【００４９】
１    台紙
１ａ、２ａ  貫通孔
１ｂ  折曲部
１ｃ  切欠部
２    袋体
３    板体
４    保護フィルム
４ａ、５ａ、６ａ  端縁
４ｂ、５ｂ  辺
４ｃ、５ｃ  隅部
５    第１のセパレータフィルム
６    第２のセパレータフィルム
８    窓部
８ａ〜８ｄ  窓体
９    間隙部
１０  電子機器
１１  表示面
Ａ    保護フィルム複合体
Ｐ    保護フィルム包装体
【図１】
0003191171.tif 000003
【図２】
0003191171.tif 000004
【図３】
0003191171.tif 000005
【図４】
0003191171.tif 000006
【図５】
0003191171.tif 000007
【図６】
0003191171.tif 000008
【図７】
0003191171.tif 000009
【図８】
0003191171.tif 000010